(57)【要約】  本発明は、非接触式トランザクションの分野、特に近接場通信の分野、そしてより特定的には無線周波数識別インタフェース上のスマートカードトランザクションに関する。本発明は同様に、近接場通信イベントを検出する段階、前記検出された近接場通信イベントに従って近接場通信イベントの少なくとも１つの標示を得る段階および前記少なくとも１つの得られた標示を提供する段階を用いて、近接場通信デバイス上で近接場通信イベントの標示を提供することにより移動体端末のユーザに対して、さまざまなトランザクションプロセスについての付加的な情報および制御、そしてそれと同時にさまざまなトランザクションサービスプロバイダに対する付加的な可視性を提供するための方法およびシステムにも関する。
2009519652.tif 000002
【特許請求の範囲】
【請求項１】
近接場通信デバイス上で近接場通信イベントの標示を提供するための方法であって、
近接場通信イベントを検出するステップと、
前記検出された近接場通信イベントに従って近接場通信イベントの少なくとも１つの標示を得るステップと、
前記少なくとも１つの得られた標示を提供するステップと、
を備える方法。
【請求項２】
近接場通信デバイス上で近接場通信アプリケーションに対するアクセスを制御するための方法であって、
近接場通信イベントを検出するステップと、
前記近接場通信イベントをひき起こすエンティティおよび前記エンティティから受信した単数または複数のアプリケーション要求のうちの少なくとも１つを識別するステップと、
識別情報に基づいて前記識別された近接場通信エンティティのために前記近接場通信デバイス上の１つのアプリケーショングループを割り振るステップと、
前記近接場通信イベントをひき起こす前記エンティティに対して、前記割り振られたアプリケーションへのアクセスを許諾するステップと、
を備える方法。
【請求項３】
前記近接場通信イベントをひき起こす近接場通信エンティティを識別するステップと、
前記識別された近接場通信エンティティに対して割り振られた前記近接場通信デバイス上の１つのアプリケーショングループを決定するステップと、
前記近接場通信イベントをひき起こす前記エンティティに対して、前記割り振られたアプリケーションへのアクセスを許諾するステップと、
をさらに備える請求項１に記載の方法。
【請求項４】
近接場通信イベントが、トランザクション要求、トランザクション、データ転送要求、データ転送からなるグループから選択される、請求項１〜３のいずれか一項に記載の方法。
【請求項５】
検出された近接場通信イベントのレジストリ内に検出された近接場通信イベントを登録するステップ、
をさらに備える、請求項１〜４のいずれか一項に記載の方法。
【請求項６】
受信されたユーザ入力に従って近接場通信デバイスの前記アプリケーションをグループ化するステップ、
をさらに備える、請求項１〜５のいずれか一項に記載の方法。
【請求項７】
前記通信イベントをグループ化するステップ、
をさらに備える、請求項１〜６のいずれか一項に記載の方法。
【請求項８】
前記グループ化が、識別されたおよび未知の要求元インスタンスからの要求に従って実行される、請求項１〜７のいずれか一項に記載の方法。
【請求項９】
前記近接場通信デバイスの位置を決定するステップ、
をさらに備え、前記グループ化が場所情報に従って実行される、請求項１〜８のいずれか一項に記載の方法。
【請求項１０】
前記得られた少なくとも１つの標示を提供するため、ユーザ入力を受信するステップ、
をさらに備える、請求項１〜９のいずれか一項に記載の方法。
【請求項１１】
前記選択された近接場通信イベントに従って前記標示を得る前記ステップが、再生可能なサウンドファイル、ビデオクリップ、振動シグナリゼーションファイル、スプラッシュスクリーン、または画像からなるグループから選択された標示を得るステップをさらに備える、請求項１〜１０のいずれか一項に記載の方法。
【請求項１２】
前記標示をダウンロードするステップと、
前記近接場通信イベントと前記標示をリンクするステップと、
をさらに備える、請求項１０に記載の方法。
【請求項１３】
前記リンキングが、前記ダウンロードした標示を提供するためのトリガー条件を規定することによって実行される、請求項１１に記載の方法。
【請求項１４】
前記検出された近接場通信イベントが前記規定されたトリガー条件を満たしているか否かを検査するステップと、
前記検出された近接場通信イベントが前記トリガー条件を満たしている場合に、前記得られた標示を提供するステップと、
をさらに備える、請求項１２または１３に記載の方法。
【請求項１５】
近接場通信デバイス上で近接場通信イベントの標示を提供する能力をもつコンピュータプログラムプロダクトであって、前記コンピュータプログラムプロダクトがコントローラ、プロセッサベースのデバイス、コンピュータ、マイクロプロセッサベースのデバイス、端末、ネットワークデバイス、携帯端末または移動体通信有効化端末上で実行される場合に、請求項１〜１３のいずれか一項に記載のステップを実行するためのプログラムコードセクションを備えるコンピュータプログラムプロダクト。
【請求項１６】
近接場通信デバイス上で近接場通信イベントの標示を提供するためのコンピュータプログラムプログラムプロダクトであって、前記コンピュータプログラムプロダクトがコントローラ、プロセッサベースのデバイス、コンピュータ、マイクロプロセッサベースのデバイス、端末、ネットワークデバイス、携帯端末または移動体通信有効化端末上で実行される場合に、請求項１〜１３のいずれか一項に記載のステップを実行するため機械可読媒体上に記憶されたプログラムコードセクションを備えるコンピュータプログラムプロダクト。
【請求項１７】
近接場通信デバイス上で近接場通信イベントの標示を提供する能力をもつソフトウェアツールであって、コントローラ、プロセッサベースのデバイス、マイクロプロセッサベースのデバイス、処理デバイス、端末デバイス、ネットワークデバイス、携帯端末または移動体通信有効化端末上で実行されるためにコンピュータプログラム内にプログラムが実装されている場合に、請求項１〜１３のいずれか一項に記載のオペレーションを実行するためのプログラム部分を備えるソフトウェアツール。
【請求項１８】
プロセッサにより実行された場合に請求項１〜１３のいずれか一項に記載のステップを実行させる、近接場通信デバイス上で近接場通信イベントの標示を提供するための命令を表わし搬送波内で実現されるコンピュータデータ信号。
【請求項１９】
近接場通信イベントの標示を提供するために構成された近接場通信デバイスであって、
処理ユニットと、
前記処理ユニットに接続された記憶装置と、
前記処理ユニットに接続された近接場通信インタフェースと、
前記処理ユニットに接続されたユーザインタフェースと、
を備え、前記近接場通信デバイスが、近接場通信イベントを検出し、前記検出された近接場通信イベントに従って近接場通信イベントの少なくとも１つの標示を得て、前記得られた少なくとも１つの標示を提供するために構成されている、近接場通信デバイス。
【請求項２０】
近接場通信イベントを制御するために構成された近接場通信デバイスであって、
処理ユニットと、
前記処理ユニットに接続された記憶装置と、
前記処理ユニットに接続された近接場通信インタフェースと、
前記処理ユニットに接続されたユーザインタフェースと、
を備え、前記近接場通信デバイスが、近接場通信イベントを検出し、前記近接場通信イベントをひき起こすエンティティおよび前記エンティティから受信した単数または複数のアプリケーション要求のうちの少なくとも１つを識別し、識別情報に基づいて前記識別された近接場通信エンティティのために前記近接場通信デバイス上の１つのアプリケーショングループを割り振り、前記近接場通信イベントをひき起こす前記エンティティに対し前記割り振られたアプリケーションへのアクセスを許諾するために構成されている、近接場通信デバイス。
【請求項２１】
前記近接場通信デバイスがさらに、前記近接場通信イベントをひき起こすエンティティを識別し、前記識別された近接場通信エンティティに対して割り振られた前記近接場通信デバイス上の１つのアプリケーショングループを決定し、前記近接場通信イベントをひき起こす前記エンティティに対して、前記割り振られたアプリケーションへのアクセスを許諾するために構成されている、請求項１８または１９に記載の近接場通信デバイス。
【請求項２２】
検出された近接場通信イベントを識別し、登録し、グループ化するために構成された、請求項１８〜２０のいずれか一項に記載の近接場通信デバイス。
【請求項２３】
再生可能なサウンドファイル、ビデオクリップ、振動シグナリゼーションファイル、スプラッシュスクリーンまたは画像からなるグループから選択された少なくとも１つの標示を得るために構成された、請求項１８〜２１のいずれか一項に記載の近接場通信デバイス。
【請求項２４】
セルラー方式電話（cellular telephone）をさらに備える、請求項１８〜２２のいずれか一項に記載の近接場通信デバイス。
【請求項２５】
前記近接場通信デバイスがスマートカードである、請求項１８〜２３のいずれか一項に記載の近接場通信デバイス。
【請求項２６】
安全なスマートカードモジュール内に常駐するさまざまなアプリケーションを異なるグループに分類するための手段と、異なる前記グループ間で関連付けを行なうための規則を新規作成し、前記規則に基づいて外部近接場通信読取り機デバイスからの要求に応えて許可／拒否を有効化する手段とをさらに備える、請求項１８〜２４のいずれか一項に記載の近接場通信デバイス。
【請求項２７】
さらに、前記規則を新規作成する目的でユーザ入力を受信するために構成されている専用ユーザインタフェースが具備されている、請求項２５に記載の近接場通信デバイス。
【請求項２８】
コントローラと、
前記コントローラに接続された、近接場通信モジュールに対するインタフェースと、
前記コントローラに接続された、処理ユニットに対するインタフェースと、
アプリケーションの特性に基づいてアプリケーションが単数または複数のグループにグループ化されている、アプリケーションを単数または複数のグループに記憶するための、前記コントローラに接続された安全なメモリ素子と、
関連付け規則が、アプリケーションのグループ化に基づいてアプリケーションへのアクセスを制御するための単数または複数のグループの間の関連付けを規定している、前記コントローラに接続された、前記関連付け規則を記憶するデータベースと、
を備える近接場スマートカードモジュール。
【請求項２９】
安全なスマートカードモジュール内に常駐するさまざまなアプリケーションを異なるグループに分類するための手段と、異なる前記グループ間で関連付けを行なうための規則を新規作成し、前記規則に基づいて外部近接場通信読取り機デバイスからの要求に応えて許可／拒否を有効化する手段とをさらに備える、請求項２７に記載の近接場スマートカードモジュール。
【請求項３０】
さらに、前記規則を新規作成する目的でユーザ入力を受信するために構成されている専用ユーザインタフェースが具備されている、請求項２７に記載の近接場スマートカードモジュール。
【発明の詳細な説明】
【技術分野】
【０００１】
本発明は、非接触式トランザクションの分野、特に近接場通信の分野、そしてより特定的には無線周波数識別インタフェースを介したスマートカードトランザクションに関する。本発明は同様に、移動体端末のユーザに対して、さまざまなトランザクションプロセスについての付加的な情報および制御、そしてそれと同時にさまざまなトランザクションサービスプロバイダに対する付加的な可視性を提供するための方法およびシステムにも関する。
【０００２】
本発明は、例えばクレジットカード会社といったような第３者が或る意味でのブランド設定を実現できるようにする新しい方法において、全てのブランド設定要素を後でデバイスにインストールでき（すなわち、非接触トランザクションのための予めインストールされたブランド設定要素を伴う製品変形形態は全く必要でない）、ブランド／アプリケーションを所有する第３者により特定されたトリガーに応じて再生／呈示できる方法を開示している。
【背景技術】
【０００３】
携帯電話（mobile phone）が近接場通信（ＮＦＣ：near field communication）／無線周波数識別（ＲＦＩＤ）およびスマートカード技術の両方を組込んでいる場合、これらを例えば現地非接触式クレジットカード支払いのための非接触式トランザクションデバイスとしてまたは非接触式輸送チケットとして使用することが可能である。同様に、ＮＦＣによると、ユーザは、ＵＲＬまたはＳＭＳサービスメッセージといったようなサービスショートカットを含むタグを単に読取るだけで、さまざまな移動体サービスに容易にアクセスすることができる。その上、ＮＦＣにより、ユーザは、単に２つのＮＦＣデバイスを互いに接近させることによって、その場で容易にコンテンツを共有することができる。携帯電話ベースの非接触式カードのインフラストラクチャにおいては、実際の非接触式アプリケーションは、標準的には、工場内でそれらを電話に予めインストールするのではなく、デバイスの販売後に電話にインストールされる（この場合インストレーションは例えば無線で行なわれ得る）。これは、クレジットカードといったどのアプリケーションをエンドユーザが使用したいと考えるか、携帯電話メーカには事前にわからない場合があるという事実に起因している。
【０００４】
携帯電話がクレジットカード支払いといったような非接触式トランザクション用デバイスとして使用される場合、非接触式アプリケーションを所有する会社は、自社のブランドをデバイス上で見えるようにすることに関心を持っている。従来の非接触式トランザクションにおいては、例えばクレジットカード会社ブランドをプラスチックのクレジットカードまたはキーフォッブ上に印刷することで目に見えるものにすることができる。ＮＦＣおよびスマートカード技術を組込んだ携帯電話においては、電話の設計変形形態が必要となる可能性があることから印刷された第３者のブランド設定の可能性は標準的に極めて制限されている。クレジットカード会社といった第３者に対しブランド設定の可能性を提供するもう１つの方法は、携帯電話のユーザインタフェースフィーチャ（ディスプレー、サウンド、振動など）を利用することにある。
【０００５】
移動体端末（mobile terminal）に組込まれた多重アプリケーションの安全なスマートカードを考慮した場合、外部読取り機デバイスにアクセス可能な移動体端末のユーザに関する数多くの機密情報が存在する。標準的な多重アプリケーションの安全なスマートカードには、例えば、単数または複数の一般的クレジットカード、カスタマ・ロイヤルティカード、特定クレジット提供カスタマ・カード（例えば一定のガソリンスタンドで燃料を購入するためのカード）、トラベルカード（例えば地下鉄、列車および／またはバス用のさまざまなチケット）、その他の種類のチケット（例えばスイミングホールまたは映画館用）、カスタマ・カード（例えば図書館カード、セキュリティカードなど）および身分証明カード（社会保障カード）が含まれる可能性がある。
【０００６】
今日、スマートカードは、アプリケーションＩＤを転送することにより、スマートカード読取り機からのあらゆる種類の要求に応えるようになっている。スマートカードソリューションでは、多数のカードアプリケーションを同一カード上に記憶させることができる。今日までのところ、読取り機デバイスからどのアプリケーションが要求されたかをユーザが知る方法は全く存在しない。従ってＮＦＣ読取り機デバイスがカードから共通のアプリケーションを要求し、かつカード上にどのアプリケーションが存在するかについての情報を抽出することが可能であり、ここでこの情報は、多数のユーザのプロファイルデータを自動的に収集するために１つの読取り機デバイスから使用可能である。この情報はマーケティングおよび販売努力を目的とした読取り機の利益のため、さらには個々のまたは共通のユーザの挙動を追跡するために有用であり得る。個人データのこの種の使用をユーザ自らが防止または制限できるようにすることが可能であるべきである。同様に、外部販売時点管理（ＰＯＳ）端末などが、例えばロイヤルティカードを提供する目的で移動式端末のユーザデータを要求することにより単数または複数のスマートカードを悪意をもって誤用を試みるが、実はそうではなくてユーザのクレジットカード口座からの課金を新規作成するべくクレジットカードアプリケーションを探すという可能性も考えられる。
【０００７】
従って、ユーザの許可無くユーザの機密情報の望まれないスクリーニング／トラッキングを防止するため安全なスマートカードモジュール上に記憶されたさまざまな情報フィールドのアクセス可能性を移動式端末のユーザが制御することが望ましい。
【０００８】
トランザクションサービスのプロバイダにとっては、現在進行中のトランザクションが前記エンティティ／プロバイダにより提供されていることを標示するための手段を有することが望ましいと思われる。従って、換言すると、例えばクレジットカードプロバイダは、関連するトランザクションのために移動式端末上に自社の何らかの標示を具備させることを望むと思われる。
【発明の開示】
【０００９】
本発明の第１の態様によれば、近接場通信デバイス上で近接場通信イベントを表示するための方法が提供されている。この方法は、近接場通信イベントを検出するステップ、前記検出された近接場通信イベントに従って近接場通信イベントの少なくとも１つの標示を得るステップ、および前記少なくとも１つの得られた標示を提供するステップを備える。基本的には、本発明は、近接場通信監視機能を提供する。この方法は特に、移動体近接場通信デバイス上で実施されるように設計されている。
【００１０】
本発明の方法によると、ユーザは、自らの近接場通信デバイスが通信接続をセットアップした時点または通信要求が受信または検出された時点でつねにそれを知ることができる。この方法は同様に、外部の／もう１つのＮＦＣデバイスに対する通信試行を開始する前記近接場通信デバイス内の１つのアプリケーションから開始される通信イベントを検出しログするためにも使用可能である。すなわち、この機能性によると、ユーザは、近接場通信デバイスが関わっているあらゆる通信および／または通信試行を決定することができる。この機能性はさらに、無許可でデータを送信したり又さらにはトランザクションを実施したりし得る悪意のプログラムが端末に存在するか否かを決定するためにも使用することができる。この実施形態は、移動体端末のユーザに対し、さまざまなトランザクションプロセスについての付加的な情報および制御と同時にさまざまなトランザクションサービスプロバイダに対する付加的な可視性を提供する。
【００１１】
本発明のもう１つの態様／実施形態に従うと、近接場通信デバイス上で近接場通信アプリケーションに対する近接場通信イベントのアクセスを制御するための方法が提供されている。この方法のこの実施形態は、近接場通信イベントを検出するステップ、近接場通信イベントをひき起こすエンティティおよびこのエンティティから受信した単数または複数のアプリケーション要求のうちの少なくとも１つを識別するステップ、識別情報に基づいて近接場通信エンティティに対して近接場通信デバイス上の少なくとも１つのアプリケーショングループを割り振るステップ、および近接場通信イベントをひき起こすエンティティに対して、割り振られたアプリケーションへのアクセスを許諾するステップ、を備える方法。
【００１２】
この方法は、一種のアプリケーションアクセス制御に関するものであり、例えば、或る種の近接場通信（ＮＦＣ）アプリケーションを要求するデバイスには、もう１つのＮＦＣアプリケーションへのアクセスが具備されていてよく、その一方でその他のアプリケーションを自動的に遮断することができる、ということが想定されている。例えば、ＮＦＣバンクの場合、個人データまたは例えばゴルフクラブアプリケーションへのアクセスは遮断されている一方で、ゴルフクラブのＮＦＣ入口制御に対し近接場通信デバイス（恐らくは移動体）内の支払いアプリケーションに対するアクセスは許諾することが考慮されている。この実装により、ユーザは、ある種のアクセスエンティティが１つのＮＦＣアプリケーショングループにアクセスできるようにするため基本的アクセスグループを制御することができる。本発明は同様に、ある種のＮＦＣデバイスが入口制御システム、接続データベースまたは金融アプリケーションといったようなその他の個人的アプリケーションに一度に（少なくとも同時に）アクセスする余地をユーザが与えなくすることをも可能にする。基本的に、該方法は、或る種のＮＦＣアプリケーションを要求しているあるデバイスがあるその他のＮＦＣアプリケーションへもアクセスし得る事態をユーザが排除できるようにする一種のアクセス制御とみなされ得る。一部のＮＦＣエンティティ／デバイスがある種のＮＦＣアプリケーショングループにアクセスできる一方で、かつ一部のその他のＮＦＣエンティティ／デバイスが任意のアプリケーションへアクセスする事態を排除する一方で（すなわち「ゼログループ」）、全てのＮＦＣアプリケーションにアクセスするべくユーザのホームコンピュータと共にＮＦＣドッキングステーションを介してＮＦＣデータ交換プロトコルを使用することを想定することができる。
【００１３】
本発明のもう１つの典型的実施形態においては、この方法はさらに、近接場通信イベントをひき起こす近接場通信エンティティを識別するステップ、識別された近接場通信エンティティに対して割り振られた近接場通信デバイス上の１つのアプリケーショングループを決定するステップ、および近接場通信イベントをひき起こすエンティティに対して割り振られたアプリケーションへのアクセスを許諾するステップ、を備える。
【００１４】
すなわち、本発明のこの実施形態は、要求元デバイスの識別情報に基づいて一種のアクセス制限またはアクセス制御を提供する。すなわち、ある種の要求元デバイスは、予め定義されたアプリケーショングループにアクセスできる。しかしながら、あるデバイスグループに割り振られている１つのデバイスが端末／移動体デバイスの単一のまたは一定数の定義づけされたアプリケーションにアクセスし得るような形で要求元の（個別の）デバイスを「グループ化する」ことも想定されている。このグループ化は、アプリケーション側ででもおよび／またはデバイス側でも実施できる。すなわちグループ化は、それぞれの専用制御アプリケーションによってまたは例えば近接場通信デバイス内に配線接続されたハードウェアの専用部品によっても実施され得る。
【００１５】
本発明のもう１つの典型的実施形態においては、この方法は同様に、アプリケーショングループを規定し、近接場通信イベントをひき起こすエンティティに対してこれらのグループを割り振るためにユーザ入力を受信するステップも備える。このグループ規定および割り振りは、上述の方法を実施するための基礎を成す。ユーザが（検出され、識別され描写された要求元イベントまたはＮＦＣイベントをひき起こすエンティティ）および端末デバイス上の多数のＮＦＣアプリケーションを選択して、エンティティ（イベント）の各々に対して、アクセスを許諾され得るＮＦＣアプリケーションを１つ割り振るか、全く割り振らないかまたは数多く割り振る、「ティーチイン」ステップを使用することが考えられている。この手順は、手順を単純化するように割り振り手順を通してユーザを案内するための一種のメニュー構造またはアシスタントプログラムにより支援され得るということを指摘しておくべきである。
【００１６】
方法の典型的実施形態においては、前記通信イベントは、トランザクション要求、トランザクション、データ転送要求、データ転送から成る群から選択される。ユーザが例えばその電話の中に多重アプリケーションスマートカードを有する場合、ユーザインタフェースを用いて、ユーザに対し進行中のトランザクションおよびトランザクション要求を示すことができる。
【００１７】
さらにもう１つの典型的な実施形態においては、この方法はさらに、検出された近接場通信イベントのレジストリ内に検出された近接場通信イベントを登録するステップを備える。すなわち、この実施形態においては、スマートカードまたはスマートカードモジュールの管理アプリケーションは、例えば各々の読取り試行後にユーザに表示され得るトランザクション要求およびトランザクション（または通信イベント）のレジストリを有する。これはユーザに対し、ユーザをプロファイリングしようとするあらゆる試行を曝露するための手段を提供することになる。この方法は同様に検出された近接場通信イベントのレジストリを生成し記憶する段階をも含み得るという点を指摘することができる。ユーザが例えば自らの電話の中に多重アプリケーションスマートカードを有する場合、ユーザインタフェースを用いてユーザに対し進行中のおよび過去のトランザクションおよびトランザクション要求を示すことができる。一種のログファイル、または例えば最新の２０件または４０００件の通信イベント、トランザクションまたはトランザクション要求を記憶する（一時的）バッファ記憶としてトランザクション要求およびトランザクションのレジストリを使用することも同様に想定されている。
【００１８】
さらにもう１つの典型的な実施形態においては、この方法は同様に、受信したユーザ入力に従って近接場通信デバイスの前記アプリケーションをグループ化するステップを備える。このユーザ入力は、専用ユーザインタフェースを介して受信可能である。同様に、ユーザが規則にアクセスし直観的に規則またはアプリケーショングループを規定し補正することができるようにするためマンマシンインタフェースを単純化するべく例えばそれぞれのメニュー構造を実装することも想定されている。しかしながら、予めグループ化されたアプリケーションと共に一定数の予めインストールされたアプリケーションを近接場通信デバイスに具備することも同じく想定されている。アプリケーションを単数または複数の異なるグループにグループ化し得るということを指摘できる。
【００１９】
もう１つの典型的な実施形態においては、この方法はさらに、検出されたまたは記憶された通信イベントをグループ化するステップを備える。基本的実施形態においては、通信イベントは、時間スキームに従ってグループ化され得る（例えば、近接場通信デバイスに測位システムモジュールが具備されている場合）。同様に、単一の通信試行が（寄生通信（parasitic communication）／転送試行／イベントを決定するために）相互出現に関して相関されるような形でデバイスを実装することも想定されている。
【００２０】
このステップすなわちグループ化は、検出済み近接場通信イベントのレジストリ内にグループ化された形で検出済み通信イベントを記憶することにより、通信イベントの検出の直後に実施され得る。同様に、グループ化されたレジストリのために使用されることになる検出済み近接場通信イベント（単複）に従ってデータを提供する／出力を獲得する時点でこのステップを実行することも検討されている。第１の実装においては、データは検出プロセス中にグループ化され、第２の実装においては、データは出力／提供プロセス中にグループ化される。特にグループ化の場合、検出済み通信イベントのレジスタ内の検出済み通信イベントのデータを検出済み通信イベントに関係する背景情報といったようなその他の補足的データとリンク／関連づけすることが想定される。これは、外部に記憶されたデータまたは例えば一定数の予備記憶データ（例えば検出済み通信イベントの出力／提供を充実させるためのマルチメディアデータなど）に対するリンクによって実装可能である。同様に、ディスプレーを介して出力／提供についての標示をグループ化することも想定される。
【００２１】
このアプリケーションは、例えば、読取り機によるアプリケーション要求リストをスマートカードからユーザが端末のディスプレースクリーン上で見、どのアプリケーションが識別されたかおよびどれ程の数のどの未知の要求が処理されたかを識別し、又そうでなければユーザが定義したまたは予め設定したトリガーレベルまたは要求を超過した場合に出力がトリガーされ得るように、小売店において使用可能である。ユーザは、例えば「クレジットカード（プロバイダ）トランザクション開始、その他３件の要求処理済み」というメッセージを受信する可能性がある。これによりユーザは、その他の３件のアプリケーションが要求されたことおよび、読取り機が今やこれらの要求に対するカードの応答についての情報を有することになることを知ることになる。
【００２２】
通信イベントは、要求されたアプリケーション内で用いられ、このアプリケーションに導かれたトランザクションまたはトランザクション要求といったような通信イベントの中でアクセスされ得るデータの機密度に従ってグループ化され得る。すなわち、通信イベントのグループ化パターンは、近接場通信デバイス上のそれぞれのアプリケーションのグループ化に対する１対１のマッピングにより関係づけされる。すなわち、安全なスマートカードモジュール内に記憶された機密なアプリケーション情報は、類似の特性をもつアプリケーションが１つのカテゴリにグループ化されるような形で、記憶されたアプリケーション情報を差別化するさまざまなグループに分類される。例えば以下のように、典型的カテゴリを実施することができる：
−  金融トランザクション／クレジットカード
−  カスタマ・ロイヤルティカード
−  特定クレジット提供カスタマ・カード（例えばあるガソリンスタンドで燃料を購入するためのカード）、
−  トラベルカード（例えば地下鉄、列車および／またはバス用のさまざまなチケット）、
−  その他の種類のチケット（例えばスイミングホールまたは映画館）
−  カスタマ・カード（例えば図書館カード、セキュリティカードなど）および
−  身分証明カード（社会保障カード）、
−  車両の好ましい設定値を伴うカード、
−  インタネット電話用通信アクセスカード
など。
【００２３】
以下では、単一の「グループ化」という用語の下で、近接場通信デバイス上のアプリケーションのグループ化および例えばトランザクションおよびトランザクション要求によるこれらのアプリケーションへのアクセスのグループ化が要約されている。
【００２４】
例えば上述のカテゴリにアプリケーションが分類される場合、あるカテゴリ内に常駐するアプリケーションからの情報を要求した時点で外部読取り機デバイスによるアクセスを可能とするか拒否するように、ある情報カテゴリを許可／防止する、カテゴリに関するさまざまな規則が存在し得る。一例としては、例えばトランザクション／クレジットカードアプリケーションが要求された場合、カスタマ・ロイヤルティカードカテゴリも同様に利用可能である。しかしながら、例えばトラベルカードカテゴリ内のアプリケーションは外部読取り機には利用不可能になる。一方、トラベルカードカテゴリ内に常駐するアプリケーションが要求された場合、トランザクション／クレジットカードカテゴリも同様に利用可能であるが、カスタマ・ロイヤルティカードカテゴリへのアクセスは拒否される。
【００２５】
本発明の１つの特長として、ユーザには、カテゴリの設定およびそれらの互いのリンキングを調整および修正するための専用ユーザインタフェースが提供されている。このユーザインタフェースは、もう１つのカテゴリのアプリケーションが要求されている場合にあるカテゴリのアプリケーションへのアクセスを許容／拒否するための規則を規定するべくユーザがカテゴリ間の関連づけを行なうことができるようにする、トリガー可能なボックスを伴う主要カテゴリの単純なリストであり得る。最後に、上述のことに加えて、端末は、ユーザ／プロバイダに成功したトランザクションを標示するためさまざまなトランザクションに関連して使用することのできる情報を記憶することができる。
【００２６】
本発明の実施形態は、プロファイリングを防止するための直接的なツールを必ずしも提供するわけではなく、それを曝露するが、これはプライバシーおよびＩＤを管理する上で有効な方法である。例えば識別されていないまたは識別された望ましくないレジストリ入力に基づいてトランザクションのブロッキングを有効化するべく拡張を伴うログレジストリを使用することも想定されている。この実施形態においては、検出されたまたは識別された要求元エンティティを一種のブラックリストの中にグループ化して、既知の識別されたデバイスにのみ（或るまたは全ての）アプリケーションへのアクセスを有効化することができる。
【００２７】
これは、さまざまなトランザクション要求をユーザに曝露し、専用ユーザインタフェースを通してユーザにより制御可能である異なるタイプのセットに安全なスマートカード内のアプリケーションをグループ化することを通して、トランザクションサービスを移動体端末ユーザにとってより制御可能なものにする論理によって達成可能である。さらに、ユーザインタフェースのための付加的なフィーチャとして、本発明はトランザクションプロセス自体の間にトランザクションサービスプロバイダの標示を提供する。
【００２８】
１つの代替的実装においては、検出された近接場通信イベントのレジストリまたはログファイルは、非接触式フロントエンドで収集され得、検出された近接場通信イベント（またはログ）のレジストリは電話内に常駐する。
【００２９】
本方法のさらにもう１つの典型的な実施形態においては、グループ化は、場所情報に従って実施され、ここでこの方法はさらに、近接場通信デバイスの位置を決定するステップを備える。基本的実施形態においては、グループ化は、要求元ＮＦＣ読取り機の空間的分布を決定するために実施される。次のステップでは、検出されたＮＦＣイベントにひも付けされているこの収集された空間データは、既知の読取り機および既知のトランザクションを伴う未知の読取り機およびエリアを要求するパーソナルマップを生成するためのベースとして使用される。このマップは、任意の近接場通信（またはこれらのエリア内のその特殊なアプリケーション）を非活動化するために求められる可能性がある。識別された／識別されていない分布キーに従ったこのグループ化は、そうでなければユーザに気づかれない可能性のあるトランザクション要求／トランザクションを発見するために基本となるものである。この実施形態によると、ユーザは、識別されていないトランザクション要求を多数伴うエリアを検出し決定することができるようになる。このフィーチャによりユーザは、識別されていないトランザクション要求を多数伴うエリアの中の近接場通信を非活動化することができるようになるかもしれない。一般的には、ある種の要求を遮断することは可能でないが、望ましくないスクリーニングなどを受ける確率が最も高いエリアを定義づけできるのであれば、ユーザは単にこれらのエリア内でＮＦＣ通信全体を非活動化することができるかもしれない。この実施形態は同様に、（例えばセル方式通信ネットワーク、慣性誘導または例えばＧＰＳといった測位システムを介して）デバイスの実際の位置を検出するステップも備え得る。検出された位置データは、ＮＦＣトランザクションを実施することのできない「トランザクション無し」または「ＮＦＣ無し」のエリアを決定／定義づけするために、検出された望ましくないトランザクション要求に相関関係づけされ得る。同様に、多数のトランザクション要求および／または多数の通信イベントを伴う場所を決定するために測位モジュールとデバイスを組合せることも想定されている。このような実装は、ユーザがテーブルを回し自ら一種のエリアプロファイリングまたはショッププロファイリングを行なうことを可能にし得る。
【００３０】
もう１つの典型的な実施形態においては、本発明の方法はさらに、得られた少なくとも１つの標示を出力／提供し、それに従ってデータを出力／提供するためのユーザ入力を受信する段階をも含んでいる。この実施形態は、あらゆる種類の通信イベント、トランザクション要求、トランザクションなどの「事後的」考慮を行なうべく、ユーザがトランザクション要求／トランザクションレジストリ内に記憶されたデータを検索することのできる実装にも向けられている。こうしてユーザは、多数の未知のトランザクション要求が発生している全ての場所を回避できることになる。この実施形態においては、デバイスは、例えばログファイルレジスタ内の全ての発生イベントをログし、ユーザは望むときにいつでもこのレジスタにアクセスをすることができる。
【００３１】
本発明のさらにもう１つの典型的な実施形態においては、検出された近接場通信イベントに従って標示を得るステップはさらに、再生可能なサウンドファイル、ビデオクリップ、振動シグナリゼーションファイル、スプラッシュスクリーンまたは画像から成るグループから選択された標示を得るステップも備える。
【００３２】
この実施形態は、デバイスが（識別されたまたは識別されていない）通信イベント、トランザクション要求および／またはトランザクションを検出し、例えば出力／提供のために記憶装置からそれぞれの（関連する予め記憶された）標示を得る、１つの実装に関係する。これらの出力／提供されたデータ／標示は、トランザクションまたはトランザクション要求が機能したことをユーザに標示するのに使用することができる。再生可能なサウンドファイル、ビデオクリップ、振動シグナリゼーションファイル、スプラッシュスクリーンまたは画像は、例えば、ブランド／製品関連のトランザクションまたはトランザクション要求がある場合に、ブランド／製品名などを含み得る。ユーザがこの機能を構成できるようにすることも検討されている。ユーザが評価の比較的低い製品ブランドまたはサービスを入力する毎にサウンド／ビデオ／振動ファイルの再生を防止することができるようにするため一種の選択性および非活動化可能性を使用することも検討されている。この実施形態は、ＳＭＳまたはＭＭＳスクリーン、ゲームアプリケーションまたは移動体ＴＶ、例えばデバイスＢ−Ｈ伝送といったような実際のディスプレイコンテンツを中断または変更する必要なくユーザが地下鉄に入ることができるようにし得る。本発明によれば、ユーザは、自らの電話が自らの車に接続した場合に或る信号を得、かくして車のドアがロック解除／開放したことを標示するサルティションシーケンスをスピーカーを介して出力するためにこの実装を使用することができる。同様にして、車は、検出されたユーザ電話ＩＤに従って車の全ての設定を変更するべく、検出されたＮＦＣ電話を使用することができる（ただし、車を使って小旅行するために奥さんの電話をもって行った場合には、話はややこしいことになる）。この第１の実施形態は、一定数の予め記憶された標示によりトランザクションおよびトランザクション要求といったような近接場通信イベントを標示するためにファームウェア統合標示ファイルの中で使用され得る。
【００３３】
本発明のさらにもう１つの典型的な実施形態においては、この方法はさらに前記標示をダウンロードするステップ、そして標示を近接場通信イベントとまたはそれに対してリンクするステップを備える。
【００３４】
標示をダウンロードしインストールすることにより、ブランド設定要素を伴うパッケージを、例えばブルートゥース（ＢＴ）、ＷｉＦｉ、近接場通信（ＮＦＣ）、赤外線（ＩｒＤａ）などのローカル無線通信チャンネル上で無線により、またはユニバーサル・シリアルバス（ＵＳＢ）またはシリアルケーブルといった物理的接続を用いることにより、デバイスにインストールすることができる。ブランド設定要素／標示のコンテンツは、電話がユーザ向けに再生、再現または呈示できるあらゆるデータであり得る。
【００３５】
このソリューションでは、電話は、第３者が、（例えば拡張型Markup Language XMLに基づいて）単一パッケージ内で電話に対し（例えば再生可能なサウンドファイル／ビデオクリップ／スプラッシュスクリーン／画像といった）ブランド設定要素としての標示をインストールすることを可能にする。このパッケージは同様に、標示（例えばブランド設定要素）を再生、再現または呈示させることになるトリガー条件の定義づけをも含み得る。ある種の転送またはトランザクションプログラムのインストレーションとダウンロードを組合せることも同様に検討される。例えば、ある種の資金振替機関のサウンドスキームの再現と結合される支払いアルゴリズムを実装することが想定されている。これらのブランド設定要素は、ブランドに関係するネットワークベースのデータ、例えばウェブページに対するリンクも含み得る。
【００３６】
同様に、標示ファイル例えばブランド設定データおよびファイルが１つの標示インストレーションパッケージ（ブランドパッケージ）内にシュリンクラップされ得るということも検討されている。かかるパッケージは、パッケージ名、標示またはブランド、トリガー規定（例えばＮＤＥＦ（NFC Data Exchange Format：ＮＦＣデータ交換フォーマット）タイプの形で定義されたもの）、実行、再生または再現命令および標示自体のようなメディアファイルといった要素を少なくとも含むことができる。このデータはＸＭＬ構造または独自仕様の二進データフォーマットとして定義され得る。
【００３７】
もう１つの典型的な実施形態においては、リンキングは、ダウンロードされた標示を出力／提供するためのトリガー条件を規定することにより実施される。トリガーは例えば、特定のＮＤＥＦタイプ、特定のアプリケーション識別情報（非接触式カード読取り機から検出されるもの）または使用中の非接触式アプリケーション／サービスのタイプを認識するために使用可能なその他の何かであり得る。
【００３８】
本発明のさらにもう１つの典型的な実施形態においては、この方法はさらに、検出されたまたは識別された近接場通信イベントが、規定されたトリガー条件を満たしているか否かを検査するステップ、および、前記検出または識別された近接場通信イベントがトリガー条件を満たす場合には、得られた標示を出力／提供するステップ、を備える。
【００３９】
移動体電子デバイス例えば電話は、標示またはブランド設定要素を記憶し、パッケージ内で規定されたトリガー条件に従って標示またはブランド設定要素を再生または再現するべく準備することになる。ユーザが例えばタグを読取るかまたは電話を外部読取り機の近くにもってきた時点で、電話はトリガー条件（例えばタグから読取られたＮＤＥＦタイプ／外部読取り機によりたずねられたＡＩＤ（application ID：アプリケーションＩＤ））が満たされているか否かを検査し、そのトリガー条件のために規定されたまたはこの条件にリンクされたブランド設定要素といった標示を再現する。移動体電子デバイスが同時に多数のブランド設定要素を記憶し、かくして例えばクレジットカード支払い後に第１のロゴが呈示されること、そして例えば公共輸送システムにおけるチケットとして移動体デバイスを使用する場合にもう１つのロゴが提示されることを有効化するように想定されている。上述の例は、非接触式支払い＆発券業務についてのものであるが、本発明はこれらの使用ケースのみに制限されるわけではない。例えばサービス検出での使用ケースでは、例えばサービス／コンテンツプロバイダの標示またはブランド設定要素は、ＮＤＥＦタイプに基づいて示され得る。車両または車環境におけるハンズフリーデバイスでの近接場通信接続の使用にその例が見られる。
【００４０】
検査オペレーションには又、発呼または要求元加入者の識別情報、ＮＤＥＦタイプ、特定のアプリケーション識別情報（非接触式カード読取り機から検出されるもの）または使用中の非接触式アプリケーションまたはサービスのタイプを認識するのに使用可能な何らかのもの、といったような付加的な情報も含まれていてよい。
【００４１】
本発明のさらにもう１つの態様によれば、プログラム製品がコンピュータまたはネットワークデバイス上で実行される場合に以上の記述の方法を実行するためのプログラムコード手段を含むソフトウェアツールが提供されている。
【００４２】
本発明のもう１つの実施形態によれば、プログラムがコンピュータまたはネットワークデバイス上で実行される場合、前述の方法の全てのステップを実行するためのプログラムコード手段を備える、以上の記述の方法を実行するためにサーバからダウンロード可能なコンピュータプログラム製品が提供されている。
【００４３】
本発明のさらにもう１つの態様によれば、プログラム製品がコンピュータまたはネットワークデバイス上で実行される場合、以上の記述の方法を実行するためのコンピュータ可読媒体上に記憶されたプログラムコード手段を備えるコンピュータプログラム製品が提供されている。
【００４４】
本発明のもう１つの態様によれば、コンピュータデータ信号が提供されている。コンピュータデータ信号は搬送波内で実行され、コンピュータプログラムがコンピュータまたはネットワークデバイス上で実行される場合に以上の記述内に含まれた方法のステップをコンピュータに実行させるプログラムを表わす。
【００４５】
もう１つの典型的な実施形態によれば、近接場通信デバイスが提供されている。近接場通信デバイスは、近接場通信イベントの標示を出力／提供するために構成されている。近接場通信デバイスは、処理ユニット、近接場通信インタフェースおよびユーザインタフェースを備える。処理ユニットは記憶装置に接続されている。近接場通信インタフェースは処理ユニットに接続されている。ユーザインタフェースは、処理ユニットに接続されている少なくとも１つの出力インタフェースである。近接場通信デバイスは、近接場通信デバイスを検出するため、検出された近接場通信デバイスに従って近接場通信イベントの少なくとも１つの標示を得るため、そして得られた少なくとも１つの標示を出力／提供するために構成されている。近接場通信イベントの標示は、記憶装置から得ることができる。得られた少なくとも１つの標示は、ユーザインタフェースを介して出力／提供され得る。ユーザインタフェースは、ディスプレー、ＬＥＤなどといった光学ディスプレー素子、スピーカー、ヘッドホンまたは車内オーディオシステムへのインタフェースといったようなオーディオ出力素子または振動器といったような触覚出力素子、または点字出力素子といったような外形変更装置を備えてもよい。
【００４６】
本発明のもう１つの態様によれば、近接場通信イベントを制御するために構成された近接場通信デバイスが提供されている。近接場通信デバイスは、処理ユニット、近接場通信インタフェースおよびユーザインタフェースを備える。処理ユニットは記憶装置に接続されている。近接場通信インタフェースは、処理ユニットに接続されている。ユーザインタフェースは、処理ユニットに接続されている少なくとも１つの出力インタフェースである。近接場通信デバイスは、近接場通信イベントを検出するため、近接場通信イベントをひき起こすエンティティおよびエンティティから受信した単数または複数のアプリケーション要求のうちの少なくとも１つを識別するため、識別情報に基づいて識別された近接場通信エンティティのために近接場通信デバイス上の１アプリケーショングループを割り振るためそして、近接場通信イベントをひき起こすエンティティに対して割り振られたアプリケーションへのアクセスを許諾するために構成されている。
【００４７】
近接場通信デバイスの１つの典型的な実施形態においては、近接場通信デバイスはさらに、近接場通信イベントをひき起こすエンティティを識別するため、識別された近接場通信エンティティに割り振られた近接場通信デバイス上のアプリケーショングループを決定するため、そして近接場通信デバイスをひき起こすエンティティに対し割り振られたアプリケーションへのアクセスを許諾するために構成されている。
【００４８】
近接場通信デバイスは同様に、移動体デバイスのためのスマートカードモジュールとしても実現され得、この場合、出力インタフェースは、このモジュールが中で動作させられる予定の端末に対する接続を提供する。この実施形態では、ユーザ出力インタフェースは、接続されたヘッドホンの場合と同様に、接続された（外部か又さらには周囲の）ディスプレー／出力ユニットを介して、得られた標示を出力／提供するための間接的ユーザ出力インタフェースとして実現されている。
【００４９】
１つの典型的な実施形態においては、近接場通信デバイスは、検出された近接場通信イベントを識別し、登録しかつグループ化するために構成されている。近接場通信デバイスは、検出された近接場通信イベントを識別し登録しかつグループ化するための、処理ユニットに接続されたコンポーネントを含むことによって、検出された近接場通信イベントを識別し、登録しかつグループ化するために構成されている。近接場通信デバイスは、検出された近接場通信イベントを識別し登録しかつグループ化するための、近接場通信インタフェースに接続されたコンポーネントを含むことによって、検出された近接場通信イベントを識別し、登録しかつグループ化するために構成されている。
【００５０】
例えば、検出された近接場通信イベントのレジストリ内の記憶装置内に登録される前に検出済みイベントを識別し、登録しかつグループ化することが想定されている。同様に、例えば異なるショップ、場所などのデータ収集挙動をプロファイリングするために本発明中の発明を使用することも又検討されている。近接場通信デバイスのこの実施形態は、検出された通信イベントの標示がグループ化された形でディスプレイ上に表示されているデバイスに向けられている。
【００５１】
本発明の１実施形態において、近接場通信デバイス例えばかかるデバイスのカード管理アプリケーションまたは非接触式フォントエンドおよび電話アプリケーションを通したその代替的実装には、以下の可能性を含むことになる。
−  カードまたは近接場通信デバイスに対するアプリケーション要求を識別する能力、
−  少なくとも未知のアプリケーションおよび既知のアプリケーションからまたはそれらへの要求を分類する能力、
−  トランザクションが開始されたか否かを識別する能力、
−  上述の活性が記憶されているレジスタまたはログを新規作成する能力、および
−  ユーザに対しログ情報を出力／呈示／提供する要求を受信／開始する能力。
【００５２】
レジスタ／ログは、活動についての情報を連続的に収集することになり、レジスタ／ログサービスの使用は、カードまたは近接場通信デバイスに対し読取り／トランザクション試行および読取り／トランザクションアクションを曝露するのに役立つ。ユーザに示されることになる情報は、ニーズに応じて異なるカテゴリを分離しユーザに対して情報を表示することになる１つのアプリケーションを通して起こり得る。レジスタ／ログを解析し、どのアプリケーションが現在要求を受けているか／要求を行なっているかを単に追跡することにより、ユーザのＩＤおよびプライバシーに対する潜在的脅威についての警告を提供するために、１つのアプリケーションを使用することができる。
【００５３】
脅威を識別するこの能力を強化するためには、アプリケーションを私的アプリケーションと公的アプリケーションに分類することができ、ここで公的アプリケーションが要求された場合よりも私的アプリケーションが要求された場合にユーザがより厳しい警告を受けることになる。この解決法の利点は、どの非接触式トランザクションおよび要求が起こっている／起こるかをユーザが監視するための自動的かつ可視的な手段を作り出すことにある。
【００５４】
もう１つの典型的な実施形態においては、近接場通信デバイスは、出力／提供のため、再生可能なサウンドファイル、ビデオクリップ、振動シグナリゼーションファイル、スプラッシュスクリーンまたは画像からなるグループから選択された少なくとも１つの標示を得るために構成されている。この実施形態は、近接場通信デバイスのディスプレー上で１つのサービスのブランドまたはサービスの種類などを標示するために予め記憶された標示の使用に関係する本発明の方法を実施するように特に設計されている。
【００５５】
この実施形態においては、例えば携帯電話（mobile phone）といったよう近接場通信デバイスは、第３者が（例えばＸＭＬに基づくものであり得る）単一の標示パッケージ内のデバイスに対し例えばブランド設定要素（例えば再性可能なサウンドファイル、ビデオクリップ、スプラッシュスクリーン、画像）を備える標示パッケージをインストールできるようにする。インストレーションパッケージは同様に、例えば標示パッケージのブランド設定要素を再生、呈示または再現させることになるトリガー条件の規定をも含み得る。このトリガー条件は、例えば特定のＮＤＥＦタイプ、特定のアプリケーションＩＤ（非接触式カード読取り機から検出されるもの）または、要求元デバイスの識別情報といったような使用中の非接触式アプリケーション／サービスのタイプを認識するのに使用可能な他の何かであり得る。識別情報パッケージ（例えばブランド設定要素を伴う）は、例えば無線、ローカル無線通信チャンネル（例えばＢＴ、ＷｉＦｉ、ＮＦＣおよびＩｒＤａ）などを用いて、またはＵＳＢまたはシリアルケーブルといった物理的接続を用いることによってデバイス内にインストールされ得る。ブランド設定要素コンテンツは、電話がユーザに対し再現、再生または呈示できるあらゆるデータであり得る。
【００５６】
近接場通信デバイス例えば携帯電話（cellular phone）といった近接場通信デバイスは、例えばブランド設定要素と共に標示パッケージを記憶し、標示パッケージ内で定義されたトリガー条件に従って（例えばブランド設定要素などの）標示を再現、再生または呈示するように準備されている。ユーザが例えば（ＲＦＩＤ）タグに触れるかまたは外部読取り機の近くに電話をもってきた時点で、電話は、トリガー条件が満たされているか否か（例えばあるＮＤＥＦタイプがタグから読取られるかまたは外部読取り機からＡＩＤがたずねられたか否か）を検査し、そのトリガー条件について規定されたブランド設定要素を再現、再生または呈示する。近接場通信デバイスは、同時に多数のブランド設定要素を記憶できることになり、例えば支払いプロセスの後に支払いサービスプロバイダのロゴを提示させ、例えば公共輸送システム内のチケットとして近接場通信デバイスを使用する場合には輸送プロバイダのロゴを呈示させるようにすることができる。
【００５７】
上述の例は、非接触式支払いおよび発券業務についてのものであるが、本発明はこれらの使用ケースのみに制限されず、アクセス制御などのための手段として、展示会事務所内で入場者の動向プロファイルを決定するため、コンサート、美術館のためのアクセスデバイスとして、それを使用することも同様に可能である。例えば、サービス検出での使用ケースにおいては、検出されたＮＤＥＦタイプに基づいて、サービス／コンテンツプロバイダのブランド設定要素を示すことができる。
【００５８】
これは、インストレーションパッケージ内に標示パッケージ（例えばブランド設定データおよびファイル）をシュリンクパッケージすることにより実装され得る。標示パッケージは、以下の要素を含み得る。
−  名前
−  少なくとも１つのトリガー条件（例えばＮＤＥＦタイプ）の規定
−  再現、実行および／または再生命令および
−  メディアファイル自体。
【００５９】
このデータは、ＸＭＬ構造または独自仕様の２進データフォーマットとして定義づけ可能である。この実装では、ブランド設定要素は近接場通信デバイスである電話に対し動的にインストールされ得、かくしてブランド設定要素はブランド設定要素で規定されたトリガー条件に基づいて再現、再生または呈示され得、例えばクレジットカード用のもの、公共輸送用のものなどといった異なる状況において各々トリガーされる多数のブランド設定要素がデバイス内でサポートされていることから、異なるロゴで近接場通信デバイスの異なる設計変形形態を実装する必要性は全くない。
【００６０】
さらにもう１つの典型的な実施形態においては、近接場通信デバイスはさらにセルラー電話（cellular phone）を含む。この実施形態は基本的に、近接場通信能力を伴う携帯電話（mobile phone）である。この電話は、トランザクション要求およびトランザクションといったような通信イベントを検出しディスプレーしかつ／またはグループ化することができる。
【００６１】
単一の要求されたアプリケーションまたはトランザクションを要求するデバイスの識別情報にリンクされている予め記憶された標示の使用およびグループ化された標示の組合せを利用することも同様に想定されているということを指摘しておくべきである。
【００６２】
本発明の方法をデバイスが実行できるようにするために、本発明に従った近接場通信デバイスには同様に以下の目的をもつ設備またはコンポーネントも具備されていてよい。
−  「ブランドパッケージ」または「サービスパッケージ」といったような標示パッケージをダウンロード／受信する、
−  例えばブランドパッケージといったような標示パッケージを認識する、
−  標示パッケージの受信時点で、
−  少なくとも１つのトリガー条件をインストールし登録する、
−  標示を再現するための命令を記憶する、
−  標示パッケージのメディアファイルを記憶する、
−  ネットワーク上で利用可能なさらなる情報に対するリンクを記憶する、
−  ブランドパッケージといったようなインストールされた標示パッケージの無欠性を維持する、
−  例えばブランド設定パッケージなどの標示パッケージを除去する手段を提供する（ユーザ／許可されたサービス要員）、
−  ブランド設定パッケージといったような標示パッケージをダウンロードし、維持しかつアップグレードするための手段を提供する、
−  標示パッケージがあるアプリケーションにリンクまたは結合される場合、標示パッケージとアプリケーションとの間の接続／リンクを維持する。
【００６３】
標示パッケージの無欠性の維持は、専用標示パッケージの更新により実施することができ、そうでなければ、トランザクション中またはトランザクションに続いて小さなデータ移送をアップロードすることにより実施することができる。
【００６４】
本発明のさらにもう１つの典型的な実施形態においては、近接場通信デバイスはさらに、安全なスマートカードモジュールの中に常駐するさまざまなアプリケーションを異なるグループに分類するための手段、および異なるグループ間で関連付けを行なうための規則を新規作成し、この規則に基づいて外部近接場通信読取り機デバイスの要求に応えて許可／拒否を有効化するための手段を備える。
【００６５】
本発明の全く別の典型的な実施形態においては、近接場通信デバイスにはさらに、規則を新規作成する目的でユーザ入力を受信するために構成されている専用ユーザインタフェースが具備されている。
【００６６】
本発明の全く別の態様によれば、近接場スマートカードモジュールが提供されている。近接場通信カードは、コントローラおよび近接場通信モジュールに対するインタフェース、処理ユニットに対するインタフェース、安全なメモリ素子アプリケーショングループ、およびコントローラに接続された関連付け規則を記憶するデータベースを含む。関連付け規則のデータベース内のデータは、アプリケーションのグループ化に基づきアプリケーションへのアクセスを制御するために、識別されたイベント／エンティティについてアクセス可能な（または同様にアクセス可能な）アプリケーショングループと、通信イベントをひき起こす各々の（識別された）エンティティまたは各々の通信イベントとの間の関連性を規定する関連付け規則を記憶する目的で提供される。安全なメモリ素子においては、アプリケーションは、アプリケーションの特性に基づいて単数または複数のグループにグループ化される。この実装は、移動体ＮＦＣデバイス（例えばＮＦＣ有効化された移動電話（mobile telephone）といったようなデバイス内に挿入されるべきスマートカードを表わす。かかるスマートカードでは、どのＮＦＣデバイスでも、スマートカードモジュールインタフェースを有するＮＦＣデバイスおよびかかるインタフェースに対する識別された要求元エンティティまたは識別された要求の「グループ化されたアクセス」を提供するという、本発明の利点をユーザに対し提供することができる。
【００６７】
本発明のもう１つの典型的な実施形態においては（またはそのもう１つの態様によれば）、スマートカードモジュールには、全てのＮＦＣ通信イベントをログするためまたは全てのトランザクション要求または少なくとも全ての実施されたトランザクションをログするため、検出された近接場通信イベントのレジストリ内に検出された近接場通信イベントを登録するべく（コントローラに接続された）内部メモリが具備されている。
【００６８】
スマートカードモジュールは同様に、（接続されたＮＦＣデバイス上の）近接場通信イベントを検出するため、検出された近接場通信イベントに従って近接場通信イベントの少なくとも１つの標示を得るため、そして（スマートカードモジュールインタフェースを介してＮＦＣデバイスに対しそれぞれのデータを転送することにより）少なくとも１つの得られた標示を出力／提供するためにも構成され得る。スマートカードモジュールには、必要な段階を実施しＮＦＣ端末を誘発してＮＦＣイベントについてスマートカードモジュールに通知しユーザに対してそれぞれのデータを出力することができるように、コントローラと記憶装置が具備されていてよい、ということは明白であるはずである。すなわちスマートカードモジュールには、本発明の機能性がすでにＮＦＣデバイスに組み込まれているかのように作用するべくＮＦＣデバイスを誘発するプログラムが具備されていてよい。かくして、スマートカード（モジュール）インタフェースを介して本発明の機能性を接続済みＮＦＣデバイスに提供するべく、スマートカードインタフェースを伴うＮＦＣ（移動体）デバイス用に設計されたスマートカード（モジュール）内に、そしてＮＦＣデバイス自体の中のみならずスマートカードモジュール内にも、本発明の全てのコンポーネントを内蔵させることも可能である。
【００６９】
本発明のもう１つの典型的な実施形態においては（またはそのもう１つの態様によれば）、スマートカードモジュールには、（少なくとも接続されたＮＦＣデバイス上で）近接場通信イベントを検出するため、検出された近接場通信イベントに従って、再生可能なサウンドファイル、ビデオクリップ、振動シグナリゼーションファイル、スプラッシュスクリーンまたは画像からなるグループから選択された近接場通信イベントの少なくとも１つの標示を得るため、そして少なくとも１つの得られた標示を出力／提供するため、（コントローラに接続された）内部メモリおよび制御論理が具備されている。この実施形態では、ＮＦＣイベントまたは例えばトランザクションを「ブランド設定する」上述の機能性を提供するために、（スマートカードインタフェースと共に）従来のＮＦＣデバイス内に挿入されるスマートカードモジュールを使用することができる。
【００７０】
かくして本発明のコンポーネントは、スマートカードモジュールにスマートカードモジュールインタフェースを介して接続されたＮＦＣデバイスに対し本発明の機能性を提供するべく（スマートカードモジュールインタフェースを伴うＮＦＣ移動体デバイスのために設計された）スマートカード（モジュール）の中にも内蔵することができる。同様に、本発明のスマートカードモジュール内にそれぞれのコンポーネントの形で本発明の方法を実施するための付加的なコンポーネントをも実装することも想定されている。
【００７１】
もう１つの典型的な実施形態においては、近接場スマートカードモジュールには、安全なスマートカードモジュール内に常駐するさまざまなアプリケーションを異なるグループに分類するための手段、および異なるグループ間の関連付けを行なうための規則を新規作成し、規則に基づいて外部近接場通信読取り機デバイスの要求に応答して許可／拒否を有効化するための手段がさらに具備されている。
【００７２】
本発明のさらにもう１つの典型的な実施形態においては、近接場スマートカードモジュールにはさらに、規則を新規作成する目的でユーザ入力を受信するために構成された専用ユーザインタフェースがさらに具備されている。
【発明を実施するための最良の形態】
【００７３】
以下では、添付の図面を参照することにより詳細に、本発明について記述する。
【００７４】
以下の詳細な説明においては、本発明の異なる実施形態内で示されているか否かとは無関係に、同一のコンポーネントには同じ参照番号が付与されている。本発明を明確にかつ簡明に例示するため、図面は必ずしも原寸に比例しておらず、ある種のフィーチャは、幾分か概略的形態で示されているかもしれない。
【００７５】
図１は、本発明の基本的態様に従った近接場通信デバイス上で近接場通信イベントの標示を出力／提供するための方法のフローチャートである。近接場通信デバイス上で近接場通信イベントの標示を出力／提供するための方法は、近接場通信イベントを検出するステップ２０、検出された近接場通信イベントに従って近接場通信イベントの少なくとも１つの標示を得るステップ３０、および少なくとも１つの得られた標示を出力／提供するステップ４０を備える。
【００７６】
本発明の背後にある基本的思想は、さまざまなトランザクション−要求をユーザに曝露することにより移動体端末のユーザにとってトランザクションサービスをより制御可能なものにする、方法を実行するための論理を作り出すことにある。これは、専用ユーザインタフェースを通してユーザにより制御可能である異なるタイプのセット内に安全なスマートカード内のアプリケーションをグループ化することによって本発明のより高度な実装において達成可能である。さらに、ユーザインタフェースのための１フィーチャとしてトランザクションプロセス中にトランザクションサービスプロバイダの標示を提供することも同様に想定されている。
【００７７】
図２は、本発明による方法のより高度な実施形態のフローチャートである。図１の実施形態とは対照的に本方法は、標示を受信またはダウンロードすること１６から始まる。ダウンロードは、例えばパッケージとして標示を要求／受信およびインストールすることによって実施され得る。ダウンロードの後、標示は、ダウンロードされた標示を出力／提供するためトリガー条件を規定すること１８により、近接場通信イベントにリンク／割り振りされる。トリガー規定は、インストーレーションプロセス中または例えばユーザ入力により定義づけ可能である。これらのアクションは、トランザクション要求、トランザクション、データ転送要求およびデータ転送からなるグループから選択された近接場通信イベントを検出する２０’ためのデバイスの開始を表わしている。次に、検出された近接場通信イベントが、検出された近接場通信イベントのレジストリ内に登録される２２。検出された通信イベントは、識別されたおよび未知の要求する／要求されたインスタンス／アプリケーションからのまたはそれらに対する要求に従ってグループ化される２４。
【００７８】
次に、検出された近接場通信イベントに従って、再生可能なサウンドファイル、ビデオクリップ、振動シグナリゼーションファイル、スプラッシュスクリーンまたは画像からなるグループから選択された少なくとも１つの標示が得られる３０’。このことはすなわち、デバイスが実際には、識別されたアプリケーション／要求インスタンスに関係する（好ましくは識別されたアプリケーション／要求インスタンス）のためのあるコンテンツを検索または生成することを意味している。識別されていないアプリケーション／要求インスタンスの場合の標準的な「未知の」標示を得ることも同様に想定されている。
【００７９】
次のステップでは、フローチャートは、少なくとも１つの得られた標示を出力／提供するためにユーザ入力を受信し３２、少なくとも１つの得られた標示を出力／提供すること４０により、第１の分岐に分かれている。
【００８０】
このフローチャートは同様に、検出された近接場通信イベントが段階１８で規定されたトリガー条件のいずれかを満たす３４か否かを検査し、検出された近接場通信イベントがトリガー条件のいずれかを満たす場合には少なくとも１つの得られた標示を出力／提供する４０’ことによって、第２の分岐に分かれることもできる。
【００８１】
図３〜５は、標示パッケージの異なる実施形態を示す図である。
【００８２】
図３では、標示パッケージ３００は、「catnip」と呼ばれる仮想サービスプロバイダに関係している、標示パッケージは、「.com.catnip.catnet」として解釈可能な信号の検出である規定されたトリガー条件、「catnip」という名前を有する。トリガー条件が満たされた場合、すなわち「.com.catnip.catnet」という項目を含むものとして解釈された信号が受信された場合、規定されたアクション「Catnipアニメーション再生」（これも同じく標示パッケージ内に含まれている）がトリガーされる。
【００８３】
図４においては、標示パッケージ４００は、「infergrow」と呼ばれる仮想サービス／製品プロバイダに関係している。標示パッケージは、「infergrow Smart Poster」という名前を有する。この標示パッケージは、規定されたトリガー条件として、「.com.infergrow.smartposter」という項目の検出を有している。トリガー条件が満たされた場合、すなわち「.com.infergrow.smartposter」という項目を含むものとして解釈された信号が受信された場合、規定されたアクション「振動する」、「infergrow chime」を再生する、そして「start infergrow Smart Poster」が活動化される。これらのアクションを実施できるように、標示パッケージには中間ファイル「infergrow chime」および「start infergrow Smart Poster application」も具備されている。
【００８４】
図５では、標示パッケージ５００は「Vicia」と呼ばれる仮想サービス／製品プロバイダに関係している。標示パッケージは、サービス／製品プロバイダ「Vicia」の名前を有する。この標示パッケージには、メディアファイル「VICIA Chime（チャイム）」および「Vicia Logo（ロゴ）」が具備されている。トリガー条件は、近接場通信デバイスの「ＶＩＣＩＡ  ＡＩＤ」アプリケーションに対する外部読取り機のアクセスにセットされる。ＮＦＣデバイスが、該トリガー条件が満たされたものとみなした場合、アクション「振動する」；「VICIA chime」を再生する、そして「Show Vicia LOGO」が活動化される。すなわち、読取り機が電話上でそれぞれのアプリケーションのアクセスを試みると直ちに、電話は振動し、特徴的な曲を再生し、近接場通信デバイスのディスプレー上のアクセスされた機能またはアクセスされたアプリケーションに関係するロゴを描く。
【００８５】
図６は、既知のインストレーションパッケージの異なる機能性を標示するための本発明の１実施形態による近接場通信デバイスおよび標示提供コンポーネントの概略図である。図中、ＮＦＣ有効化された移動電話（mobile telephone）２００には、メディアギャラリー２２０およびApplication２３０といったような既知のインストレーションパッケージを用いた既知のＮＦＣ機能性２１０が具備されている。メディアギャラリー２２０には例えば、ピクチャー１および２、記録されたファイルおよびまたは「Foo Bar」テーマが含まれる。Application（セクション）２４４は例えば、Game（ゲーム）、ゲーム「Chess（チェス）」またはサービス検出アプリケーション／プロトコルを含み得る。
【００８６】
これらの従来のＮＦＣアプリケーションに加えて、図５の「Vicia IDK」、図３の「Catnip標示パッケージ」および「Infergrow標示パッケージ」という標示パッケージなどの標示サービスを備える標示呈示コンポーネント２４０が提供されている。同様に、ＮＦＣ有効化電話のバッテリパックにＮＡＣ（例えばＲＦＩＤ）タグを具備して、その他のＮＦＣ信号が存在する場合にディスプレー上にバッテリメーカのロゴをデバイスに表示させることも想定可能である。
【００８７】
図７は、移動電話（mobile phone）またはセルラー方式の電話（cellular phone）または電話モジュール１５０を含む近接場通信デバイス１００を描いている。近接場通信デバイス１００は、近接場通信イベントの標示を出力／提供するために構成されている。近接場通信デバイス１００は、処理ユニット１００、記憶装置１０４、近接場通信インタフェース１１０、およびユーザインタフェース１２０を備える。記憶装置１０４は、処理ユニット１０２に接続され、ユーザインタフェース１２０は同様に処理ユニット１０２にも接続されている。近接場通信インタフェース１１０も同様に処理ユニット１０２に接続されている。
【００８８】
近接場通信デバイスは、近接場通信イベントを検出するため、検出された近接場通信イベントに従って近接場通信イベントの少なくとも１つの標示を得るため、そしてユーザインタフェース１２０を介して得られた少なくとも１つの標示を出力／提供するために構成されている。
【００８９】
近接場通信イベント（ＮＦＣ）はさらに、ＮＦＣインタフェース１１０を介して検出された検出済み近接場通信イベントを識別し、登録しかつグループ化するために構成されている。同様に、検出された近接場通信イベントを識別するためにＮＦＣインタフェース１１０に接続されたIdentifikatorである専用コンポーネントを使用することも検討されている。検出された近接場通信イベントを識別するために同じく処理ユニット１１０および記憶装置１０４に接続されたRegistratorを使用することも検討されている。
【００９０】
同様に、検出され／識別された近接場通信イベントを登録するため、ＮＦＣインタフェース１１０に接続されたRegistratorである専用ハードウェアコンポーネントを使用することもまた検討されている。RegistratorはIdentifikatorにも接続され得る。
【００９１】
近接場通信デバイス（ＮＦＣ）は、ＮＦＣインタフェース１１０を介して受信された検出／識別／登録済み近接場通信イベントをグループ化するためのハードウェアコンポーネント（Grouper）をさらに含み得る。このGrouperを記憶装置１０４および／または処理ユニット１０２と接続することも想定されている。
【００９２】
ＮＦＣインタフェースは、マルチループアンテナとして標示されているＮＦＣアンテナ１１１に接続されている。近接場通信デバイスは、近接場通信イベントを検出するため、検出された近接場通信イベントに従って近接場通信イベントの少なくとも１つの標示を得るため、そして得られた少なくとも１つの標示を出力／提供するために構成されている。
【００９３】
近接場通信デバイスは、再生可能なサウンドファイル、ビデオクリップ、振動シグナリゼーションファイル、スプラッシュスクリーンまたは再生のため記憶装置１０４内に記憶された画像からなるグループから選択された少なくとも１つの標示を得るために構成されている。近接場通信デバイスはさらに、セルラー方式の電話（cellular phone）１５０を含んでいる。すなわち、このデバイスは、近接場通信が有効化されたセルラー方式の移動電話（mobile cellular telephone）であるものともみなされ得る。
【００９４】
図８は、本発明の１実施形態による近接場通信デバイス上での近接場通信アプリケーションに対する近接場通信イベントのアクセスを制御するための方法のフローチャートである。この方法は、近接場通信イベントを検出するステップ２０、近接場通信イベントをひき起こすエンティティを識別するステップ３３０、識別された近接場通信エンティティに割り振られた近接場通信デバイス上のアプリケーショングループを決定するステップ３３２、および近接場通信イベントをひき起こすエンティティに対して割り振られたアプリケーションへのアクセスを許諾するステップを備える。本発明の一変形実施形態によれば、近接場通信イベントをひき起こすエンティティを識別するステップ３３０は、近接場通信エンティティから受信された単数または複数のアプリケーション要求が識別され、かつその情報に基づいて、図８内のステップ３３２に反映する近接場通信イベントをひき起こすエンティティにとって利用可能なものとなるべく少なくとも１つのアプリケーショングループが割り振られるステップ３３０’によって置換され得る。
【００９５】
図１、２、および８に描かれている方法を、単一のフローチャートに組合せることができ、ここでこれらの図中で開示されているフィーチャは単一のフローチャートの形で組合わされている、という点に留意すべきである。これは、イベントを検出するため、要求元エンティティおよび要求されているアプリケーションを決定／識別するため、検出されたＮＦＣイベントをログするためそして要求されたアプリケーション、要求元エンティティのアイデンティティそしてデバイス（またはデバイス中のスマートカード）の関連付け規則に従って要求元エンティティによりアクセス可能である考えられる全てのアプリケーションを描写するために使用可能である。すなわち、本発明は、トランザクション（データ転送）およびトランザクション要求といったような近接場通信イベントをログするフィーチャと「ブランド設定」の可能性、すなわち、ＮＦＣデバイス上のアプリケーションに対する要求またはデバイスのアクセスを制御するためのアクセス制御と共にトランザクションまたはトランザクション要求に関するデータを再生する可能性を組合わせている。同様に、検出された通信イベントを（例えば要求元デバイスの識別の形で）表示すると同時に、要求元エンティティまたは通信イベントによってアクセス可能な全てのアプリケーションのリストと共に要求元インスタンスまたは要求されたアプリケーションに関係した情報を表示または再現することも想定されている。
【００９６】
図９は、本発明の１実施形態による移動体デバイス７００を例示している。図９を見ればわかるように、端末７００は、一般的広域ネットワーク７０６および短距離通信７０４インタフェース／トランシーバを含む。一般的コンポーネントに加えて、ＮＦＣ通信モジュール７１８および移動体デバイスのユーザにとって部分的にしかアクセス可能でない安全保護されたメモリエリア内に安全なアプリケーションを保持する安全なスマートカードインタフェースが存在する。移動体デバイス７００はさらに、一般的広域ネットワーク７０６および短距離通信７０４インタフェースに接続されているグランドプレーンアンテナ７１０として示されているアンテナ７１０を備える。図７に示されているように、近接場通信デバイス７００はメモリ７１４および記憶装置７１２、ディスプレー７０２、ＮＦＣ通信モジュール７２０および処理ユニット（ＣＰＵ）７０８を含む。移動体デバイスには同様に、内部カードメモリを有する安全なスマートカード７１６も具備されている。安全なスマートカード７１６は、安全なスマートカード７１６と移動体デバイスの間の電気的および機械的接続を提供する（図示されていない）スマートカードインタフェースを介して移動体デバイス７００に接続されている。
【００９７】
近接場通信デバイス７００は、近接場通信イベントの標示を出力／提供するために構成されている。近接場通信デバイスは同様に、近接場通信イベントを検出するため、検出された近接場通信イベントに従って近接場通信イベントの少なくとも１つの標示を得るため、およびユーザインタフェース７０２を介して得られた少なくとも１つの標示を出力／提供するためにも構成され得る。近接場通信デバイス７００（ＮＦＣ）はまた、ＮＦＣ通信モジュール７１８を介して検出された検出済み近接場通信イベントを識別、登録およびグループ化するためにも構成され得る。
【００９８】
同様に、検出済み近接場通信イベント／またはＮＦＣイベントをひき起こすＮＦＣエンティティを識別するためにＮＦＣ通信モジュール７１８に対し接続された専用コンポーネントすなわちIdentifikator（例えば記憶装置７１２と接続状態にあるＣＰＵ７０８）を使用することも検討されている。同様に、検出済み近接場通信イベントを識別するために、Registrator（例えばそれ自体記憶装置７１２と接続状態にあるかまたはメモリ７１４と接続状態にあるＣＰＵ７０８）を使用することも検討されている。
【００９９】
近接場通信デバイス（ＮＦＣ）はさらに、ＮＦＣインタフェース１１０を介して受信された検出／識別／登録済みの近接場通信イベントをグループ化するためのハードウェアコンポーネント（Grouper）を含み得る。Grouperを記憶装置１０４および／または処理ユニット１０２と接続することが想定されている。同様に、かかるGrouperをRegistratorおよびまたはIdentifikatorと接続させることも想定されている。
【０１００】
図１０は、本発明の１実施形態による移動体デバイス内部でその他の要素と接続状態にあるＮＦＣモジュールおよびスマートカードモジュールの典型的配置を概略的に示す図である。本発明の描写された実施形態によれば、安全なスマートカード素子６００が移動体デバイス（図１０には示さず）に内蔵されている。スマートカードモジュール６００は同様に安全な記憶域モジュール６０１を備えてもよい。安全な記憶モジュール６０１は、スマートカード上の不正操作できない環境の中に異なるデータを記憶するために使用可能である。データは、安全なアプリケーション、個人的データ、重要な受領書および電子チケットなどを備えてもよい。例示されている通り、安全なスマートカード素子６００は、素子に投入または遮断するために必要な電力を提供する電源にユーザ制御可能なスイッチＳＷ１を介して接続されている。安全なスマートカード素子／モジュール６００はさらに、例えばＲＦＩＤまたは光学的接続を用いて外部デバイスとの接続性を提供する近接場通信（ＮＦＣ）インタフェース６１０に対して、または代替的には、安全なスマートカード素子６００に制御を提供するため端末ＭＣＵ６１２に対して、スイッチＳＷ２を介して接続されている。移動体制御ユニット（ＭＣＵ）および中央処理ユニット（ＣＰＵ）という用語が記述全体を通して同義的に使用されているという点に留意すべきである。
【０１０１】
ＮＦＣインタフェース６１０は、端末がＲＦＩＤベースの支払いおよび発券トランザクションを実施できるような形で例えばＲＦＩＤ技術を用いて外部タグ／デバイスと通信するのに必要な手段を提供するが、これに制限されるわけではない。ＮＦＣインタフェース６１０は、外部タグ／デバイスへと同時にこれらからの読取りおよび書込みの両方のオペレーションを可能にし、同様に、２つのＮＦＣ端末間のピアツーピアタイプの通信をも可能にする。安全なスマートカード素子６００は、標準的に高速応答時間を要求することになる自然なまたはＲＦＩＤ通信に起因するトランザクションを妨害／防止しかねない端末論理内部の不用な遅延が確実に全く存在しなくなるようにする目的で、スイッチＳＷ２を用いてＮＦＣインタフェース６１０に直接リンクされる。例えばＲＦＩＤトランザクションは、標準的には例えば数百ミリセカンド以内で実施されることになる。
【０１０２】
安全なスマートカードモジュールの電力切換え（スイッチ１）は、本発明を実現するためにさほど重要ではないが、ＮＦＣモジュール（外部デバイス）およびＣＰＵ（ユーザ制御）の間の安全なスマートカードモジュール間の切換えは、関連性があるものとみなされ得る。ここで、ユーザがこれらのさまざまなトランザクションオペレーションを制御できる可能性はさほど多くないということがわかる。例えば外部販売時点管理（ＰＯＳ）端末は、それが要求するアプリケーションを見出すために、安全なスマートカードモジュールに対し問い合せを送り、好ましいアプリケーションを見出した時点でトランザクションなどの実施のためにそのアプリケーションと通信を開始することができる。これは、ＰＯＳがクレジットカードプロバイダの識別情報を発見しようと試み、かかる識別情報が発見された場合にトランザクション手順が開始され得ることによって実現可能である。かかる識別が全く発見できない場合には、ＰＯＳは例えばもう１つのクレジットカードプロバイダの識別を問合わせ、ＰＯＳは端末のアプリケーションを１つずつ検査することができる。実際には、ユーザは、いくつかの付加的な制御フィーチャが提供されているのでないかぎり、実際のオペレーションの間、このトランザクション手順を全く制御することができない。
【０１０３】
図１１は、トランザクションイベントに対する移動体デバイスの制御をユーザに提供する、本発明によるスマートカードの１実施形態について描写している。図１１に描かれている近接場（安全）スマートカード（モジュール）８００は、コントローラ８５０、近接場通信モジュールおよび処理用ユニットへのインタフェース８６０、アプリケーショングループ８１０、８２０、８３０、８４０および関連づけ規則を記憶するデータベース８７０を備え、ここでこれらのコンポーネントは全てコントローラ８５０に接続されている。アプリケーショングループは、（描写されていない）記憶装置内に記憶され得、一部のグループ内でインタフェースを介して外部（ＮＦＣ）端末デバイスからアクセス可能である。関連づけ規則データベース内に記憶された情報／規則に従って、アプリケーションに対するアクセスのみをグループ化することも想定されている。
【０１０４】
図１１では、安全なスマートカードモジュール内に常駐する全てのアプリケーションは、アプリケーションの特徴に基づいて分類またはグループ化される。これらのアプリケーションが、共通の特徴をもつさまざまなアプリケーショングループに分類される場合、もう１つのグループの１アプリケーションに対する問い合わせが検出された時点であるグループの「可視性」をアプリケーション規則が遮断するように、ある種の（自動／ユーザ定義型）関連づけ規則を規定することができる。この種の関連づけデータベースは、ユーザが「可視的」アプリケーションをある程度制御できるのに必要な手段を提供し、これは、移動体デバイスコンテンツのスクリーニングをよりむずかしくする。さらにこうして、あるアプリケーションが過度に低い安全性設定値に設定されているという考えられるシナリオを防止することもでき、例えばスクリーニングデバイスが、識別に応答するクレジットカードアプリケーションを発見しトランザクション手順を可能にし得る。
【０１０５】
この関連づけ規則データベース（または関連づけ規則のデータベース）８７０は、関連づけデータベースのための一部の「ファクトリーベースの」一般的設定値を含む。しかしながら、ユーザが自らのニーズに基づき例えば専用ユーザインタフェースを介して関連づけデータベースのために規則を調整できるようにすることも想定されている。この規則は必ずしも機能のためにあるアプリケーションを遮断するわけではなく、機密な警報を提供するかまたはユーザにあるアプリケーションについての「曝露」を提供することに対する受諾を提供するよう要求する可能性もある。
【０１０６】
図１１に例示された実施形態によれば、安全なスマートカードモジュールは、この遮断／グループ化オペレーションを担当している。
【０１０７】
本出願は、実施例を利用した本発明の実現および実施形態の記述を含んでいる。当業者であれば本発明が上述の実施形態の詳細に制限されるものではないこと、そして本発明の特徴から逸脱することなく本発明をもう１つの形態で実現することも可能であることを認識するであろう。以上で紹介した実施形態は、制限的なものではなく例示的なものとみなされるべきである。かくして、本発明を実現し使用する可能性は、開示されたクレームによってのみ制限される。従って、等価の実現を含め、クレームにより決定されている通りの本発明のさまざまな実現オプションが同様に、該発明の範囲に属している。
【図面の簡単な説明】
【０１０８】
【図１】本発明の１態様による近接場通信デバイス上で近接場通信イベントの標示を出力／提供するための方法のフローチャートである。
【図２】本発明に従った方法のより高度な実施形態のフローチャートである。
【図３】標示パッケージの異なる実施形態を示す図である。
【図４】標示パッケージの異なる実施形態を示す図である。
【図５】標示パッケージの異なる実施形態を示す図である。
【図６】既知のインストレーションパッケージの異なる機能性を標示するための本発明による近接場通信デバイスおよび標示提供コンポーネントの概略図である。
【図７】本発明による近接場通信デバイスの一例を示す図である。
【図８】本発明の１態様による近接場通信デバイス上で近接場通信アプリケーションに対する近接場通信イベントのアクセスを制御するための方法のフローチャートである。
【図９】本発明に従った近接場通信デバイスの一例を示す図である。
【図１０】本発明の実施形態に従った移動体デバイスの一例を示す図である。
【図１１】例えば図９または１０の端末デバイス内で使用するための安全なスマートカード（モジュール）の一例を示す図である。
【図１】
2009519652.tif 000003
【図２】
2009519652.tif 000004
【図３】
2009519652.tif 000005
【図４】
2009519652.tif 000006
【図５】
2009519652.tif 000007
【図６】
2009519652.tif 000008
【図７】
2009519652.tif 000009
【図８】
2009519652.tif 000010
【図９】
2009519652.tif 000011
【図１０】
2009519652.tif 000012
【図１１】
2009519652.tif 000013
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
近接場通信デバイス上で近接場通信イベントの標示を提供するための方法であって、
近接場通信イベントを検出するステップと、
前記検出された近接場通信イベントに従って近接場通信イベントの少なくとも１つの標示を得るステップと、
前記少なくとも１つの得られた標示を提供するステップと、
を備える方法。
【請求項２】
前記近接場通信イベントをひき起こすエンティティおよび前記エンティティから受信した単数または複数のアプリケーション要求のうちの少なくとも１つを識別するステップと、
識別情報に基づいて前記識別された近接場通信エンティティに前記近接場通信デバイス上の１つのアプリケーショングループを割り振るステップと、
前記近接場通信イベントをひき起こす前記エンティティに対して、前記割り振られたアプリケーションへのアクセスを許諾するステップと、
をさらに備える請求項１に記載の方法。
【請求項３】
近接場通信イベントをひき起こす近接場通信エンティティを識別するステップと、
前記識別された近接場通信エンティティに対して割り振られた前記近接場通信デバイス上の１つのアプリケーショングループを決定するステップと、
前記近接場通信イベントをひき起こす前記エンティティに対して、前記割り振られたアプリケーションへのアクセスを許諾するステップと、
をさらに備える請求項２に記載の方法。
【請求項４】
前記近接場通信イベントが、トランザクション要求、トランザクション、データ転送要求、データ転送からなるグループから選択される、請求項１〜３のいずれか一項に記載の方法。
【請求項５】
検出された近接場通信イベントのレジストリ内に検出された近接場通信イベントを登録するステップ、
をさらに備える、請求項１〜４のいずれか一項に記載の方法。
【請求項６】
受信されたユーザ入力に従って近接場通信デバイスの前記アプリケーションをグループ化するステップ、
をさらに備える、請求項１〜５のいずれか一項に記載の方法。
【請求項７】
前記通信イベントをグループ化するステップ、
をさらに備える、請求項１〜６のいずれか一項に記載の方法。
【請求項８】
前記グループ化が、識別されたおよび未知の要求元エンティティからの要求に従って実行される、請求項１〜７のいずれか一項に記載の方法。
【請求項９】
前記近接場通信デバイスの位置を決定するステップ、
をさらに備え、
前記グループ化が場所情報に従って実行される、請求項１〜８のいずれか一項に記載の方法。
【請求項１０】
ユーザ入力を受信し、前記得られた少なくとも１つの標示を提供するステップ、
をさらに備える、請求項１〜９のいずれか一項に記載の方法。
【請求項１１】
前記検出された近接場通信イベントに従って前記少なくとも１つの標示を得る前記ステップが、再生可能なサウンドファイル、ビデオクリップ、振動シグナリゼーションファイル、スプラッシュスクリーン、または画像からなるグループから選択された標示を得るステップをさらに備える、請求項１〜１０のいずれか一項に記載の方法。
【請求項１２】
前記標示をダウンロードするステップと、
前記近接場通信イベントと前記標示をリンクするステップと、
をさらに備える、請求項１０に記載の方法。
【請求項１３】
前記リンキングが、前記ダウンロードした標示を提供するためのトリガー条件を規定することによって実行される、請求項１１に記載の方法。
【請求項１４】
前記検出された近接場通信イベントが前記規定されたトリガー条件を満たしているか否かを検査するステップと、
前記検出された近接場通信イベントが前記トリガー条件を満たしている場合に、得られた前記少なくとも１つの標示を提供するステップと、
をさらに備える、請求項１２または１３に記載の方法。
【請求項１５】
近接場通信デバイス上で近接場通信イベントの標示を提供する能力をもつコンピュータプログラムプロダクトであって、前記コンピュータプログラムプロダクトがコントローラ、プロセッサベースのデバイス、コンピュータ、マイクロプロセッサベースのデバイス、端末、ネットワークデバイス、携帯端末または移動体通信有効化端末上で実行される場合に、請求項１〜１４のいずれか一項に記載のステップを実行するためのプログラムコードセクションを備えるコンピュータプログラムプロダクト。
【請求項１６】
プロセッサにより実行された場合に請求項１〜１４のいずれか一項に記載のステップを実行させる、近接場通信デバイス上で近接場通信イベントの標示を提供するための命令を表わし搬送波内で実現されるコンピュータデータ信号。
【請求項１７】
近接場通信イベントの標示を提供するために構成された近接場通信デバイスであって、
処理ユニットと、
前記処理ユニットに接続された記憶装置と、
前記処理ユニットに接続された近接場通信インタフェースと、
前記処理ユニットに接続されたユーザインタフェースと、
を備え、
前記近接場通信デバイスが、近接場通信イベントを検出し、前記検出された近接場通信イベントに従って近接場通信イベントの少なくとも１つの標示を得て、得られた前記少なくとも１つの標示を提供するように構成されている、近接場通信デバイス。
【請求項１８】
前記近接場通信デバイスが、前記近接場通信イベントをひき起こすエンティティのうちの少なくとも１つおよび該エンティティから受信した単数または複数のアプリケーション要求のうちの少なくとも１つを識別し、識別情報に基づいて前記識別された近接場通信エンティティに前記近接場通信デバイス上の１つのアプリケーショングループを割り振り、前記近接場通信イベントをひき起こす前記エンティティに対し前記割り振られたアプリケーションへのアクセスを許諾するように構成されている、請求項１７に記載の近接場通信デバイス。
【請求項１９】
前記近接場通信デバイスがさらに、前記近接場通信イベントをひき起こすエンティティを識別し、前記識別された近接場通信エンティティに対して割り振られた前記近接場通信デバイス上の１つのアプリケーショングループを決定し、前記近接場通信イベントをひき起こす前記エンティティに対して、前記割り振られたアプリケーションへのアクセスを許諾するように構成されている、請求項１７または１８に記載の近接場通信デバイス。
【請求項２０】
検出された近接場通信イベントを識別し、登録し、グループ化するように構成された、請求項１７〜１９のいずれか一項に記載の近接場通信デバイス。
【請求項２１】
再生可能なサウンドファイル、ビデオクリップ、振動シグナリゼーションファイル、スプラッシュスクリーンまたは画像からなるグループから選択された少なくとも１つの標示を得るように構成された、請求項１７〜２０のいずれか一項に記載の近接場通信デバイス。
【請求項２２】
セルラー方式電話をさらに備える、請求項１７〜２１のいずれか一項に記載の近接場通信デバイス。
【請求項２３】
前記近接場通信デバイスがスマートカードである、請求項１７〜２２のいずれか一項に記載の近接場通信デバイス。
【請求項２４】
安全なスマートカードモジュール内に常駐するさまざまなアプリケーションを異なるグループに分類するための手段と、異なる前記グループ間で関連付けを行なうための規則を新規作成し、この規則に基づいて外部近接場通信読取り機デバイスからの要求に応えて許可／拒否を有効化する手段とをさらに備える、請求項１７〜２３のいずれか一項に記載の近接場通信デバイス。
【請求項２５】
さらに、前記規則を新規作成する目的でユーザ入力を受信するように構成されている専用ユーザインタフェースが具備されている、請求項１７〜２４のいずれか一項に記載の近接場通信デバイス。
【国際調査報告】
2009519652.tif 000014
2009519652.tif 000015
2009519652.tif 000016
2009519652.tif 000017